(57)【要約】【課題】  鉛直方向寸法の小型化が可能な画像形成装置を提供する。【解決手段】  露光器９を保持する第１連結部材２１Ａと、少なくとも電動モータ２３に電力を供給する低圧電源基板２５Ｃと、画像形成部５の作動を制御する制御基板２５Ａとを備え、制御基板２５Ａが第１連結部材２１Ａに直接的又は間接的に保持されている。これにより、制御基板２５Ａがフレーム２０に保持された構成に比べて、鉛直方向寸法の小型化が可能となる。【選択図】  図２
2015191172.tif 000002
【特許請求の範囲】
【請求項１】
現像剤を担持する感光体、及び当該感光体を走査しながら露光する露光器を有する電子写真方式の画像形成部と、
前記画像形成部を挟んで水平方向両側に設けられた一対のフレームと、
前記一対のフレーム間を架け渡すように水平方向に延びて両端が各フレームに連結された連結部材であって、前記露光器を保持する連結部材と、
少なくとも電動モータに電力を供給する電源基板と、
前記画像形成部の作動を制御する制御基板とを備え、
前記制御基板及び前記電源基板のうち少なくとも一方の基板は、前記連結部材に直接的又は間接的に保持されていることを特徴とする画像形成装置。
【請求項２】
前記制御基板が前記連結部材に直接的又は間接的に保持されており、
仮想水平面に投影された前記制御基板は、当該仮想水平面に投影された前記露光器に対して少なくとも一部がずれていることを特徴とする請求項１に記載の画像形成装置。
【請求項３】
前記制御基板は前記露光器を挟んで前記感光体と反対側に配設されていることを特徴とする請求項２に記載の画像形成装置。
【請求項４】
前記制御基板が前記連結部材に直接的又は間接的に保持されており、
仮想水平面に投影された前記制御基板と当該仮想水平面に投影された前記露光器とは、互いに少なくとも一部が重なっていることを特徴とする請求項１に記載の画像形成装置。
【請求項５】
鉛直方向において、前記制御基板は前記連結部材を挟んで前記露光器と反対側に配設されていることを特徴とする請求項４に記載の画像形成装置。
【請求項６】
前記電源基板が前記連結部材に直接的又は間接的に保持されており、
前記電源基板は、前記露光器に対して対向配置されていることを特徴とする請求項１ないし４のいずれか１項に記載の画像形成装置。
【請求項７】
前記電源基板には、少なくとも電解コンデンサが実装されており、
仮想水平面に投影された前記電解コンデンサは、当該仮想水平面に投影された前記露光器に対してずれて配置されていることを特徴とする請求項６に記載の画像形成装置。
【請求項８】
仮想鉛直面に投影された前記電解コンデンサの少なくとも一部は、当該仮想鉛直面に投影された前記露光器に重なっていることを特徴とする請求項７に記載の画像形成装置。
【請求項９】
前記連結部材は帯板状に構成されており、
前記電解コンデンサは、前記連結部材の鉛直方向上方側に位置していることを特徴とする請求項７又は８に記載の画像形成装置。
【請求項１０】
前記電源基板は、前記露光器に固定されて当該露光器を介して前記連結部材に保持されていることを特徴とする請求項１ないし９のいずれか１項に記載の画像形成装置。
【請求項１１】
画像形成が終了したシートが載置される排紙トレイを有し、当該排紙トレイに向けて排出されるシートの排出方向前進側を前方側としたとき、
前記感光体及び前記露光器は、前方側から順に、前記露光器、前記感光体の順に並んでいることを特徴とする請求項１ないし１０のいずれか１項に記載の画像形成装置。
【請求項１２】
前記感光体より鉛直方向下方側に設けられた給紙レイであって、前記感光体に向けて供
給されるシートが載置される給紙トレイを備え、
前記排紙トレイは前記感光体より鉛直方向上方側に設けられており、
前記給紙トレイから前記排紙トレイに至るシートの搬送経路が、前記連結部材の延び方向と直交する仮想鉛直面に投影されたとき、当該投影された搬送経路は、前記露光器の鉛直方向下方側の部位、及び前記感光体よりシート搬送方向下流側の部位にて屈曲してＳ字状の曲線を描くことを特徴とする請求項１１に記載の画像形成装置。
【請求項１３】
一方の面への画像形成が終了したシートを前記画像形成部に再搬送する再搬送経路は、前記露光器の鉛直方向下方側の部位を通過することを特徴とする請求項１１又は１２に記載の画像形成装置。
【請求項１４】
前記制御基板は、前記連結部材に直接的または間接的に保持され、
さらに、前記制御基板は、前記連結部材の延び方向一端側に配設され、前記電動モータは、前記延び方向他端側に配設されていることを特徴とする請求項１ないし１３のいずれか１項に記載の画像形成装置。
【請求項１５】
前記画像形成部は、前記感光体に供給する現像剤を収容する収容部、及び画像が転写されたシートを加熱する定着器を有し、
仮想水平面に投影された前記露光器、前記収容部及び前記定着器は互いに重なることなく配置されており、
さらに、前記連結部材の延び方向と直交する仮想鉛直面に投影された前記収容部は、前記仮想鉛直面に投影された前記露光器の鉛直方向上端、及び前記仮想鉛直面に投影された前記定着器の鉛直方向上端より鉛直方向下方側に位置していることを特徴とする請求項１ないし１４のいずれか１項に記載の画像形成装置。
【請求項１６】
前記画像形成部は、前記感光体に供給する現像剤を収容する収容部、及び画像が転写されたシートを加熱する定着器を有し、
仮想水平面に投影された前記制御基板及び前記電源基板のうち少なくとも一方の基板、並びに仮想水平面に投影された前記収容部及び前記定着器は、互いに重なることなく配置されていることを特徴とする請求項１ないし１４のいずれか１項に記載の画像形成装置。
【請求項１７】
前記画像形成部は、前記感光体に供給する現像剤を収容する収容部、及び画像が転写されたシートを加熱する定着器を有し、
仮想水平面に投影された前記連結部材、前記収容部及び前記定着器は互いに重なることなく配置されていることを特徴とする請求項１ないし１４のいずれか１項に記載の画像形成装置。
【発明の詳細な説明】
【技術分野】
【０００１】
本発明は、シートに画像を形成する電子写真方式の画像形成装置に関する。
【背景技術】
【０００２】
画像形成装置の制御基板及び電源基板は、例えば、特許文献１に記載の発明では、画像形成部を挟んで水平方向両側に配設された一対のフレームのうちいずれかに組み付けられている。
【先行技術文献】
【特許文献】
【０００３】
【特許文献１】特開２００６−５３２５４号公報
【発明の概要】
【発明が解決しようとする課題】
【０００４】
ところで、制御基板と電源基板とを鉛直方向に並んだ状態で同一のフレームに組み付けると、画像形成装置の鉛直方向寸法が大きくならざるを得ない。
本発明は、上記点に鑑み、鉛直方向寸法の小型化が可能な画像形成装置を提供することを目的とする。
【課題を解決するための手段】
【０００５】
本発明は、上記目的を達成するために、現像剤を担持する感光体（８）、及び当該感光体（８）を露光する線状の光を発する露光器（９）を有する電子写真方式の画像形成部（５）と、画像形成部（５）を挟んで水平方向両側に設けられた一対のフレーム（２０）と、一対のフレーム（２０）間を架け渡すように水平方向に延びて両端が各フレーム（２０）に連結された連結部材（２１Ａ）であって、露光器（９）を保持する連結部材（２１Ａ）と、少なくとも電動モータ（２３）に電力を供給する電源基板（２５Ｃ）と、画像形成部（５）の作動を制御する制御基板（２５Ａ）とを備え、制御基板（２５Ａ）及び電源基板（２５Ｃ）のうち少なくとも一方の基板は、連結部材（２１Ａ）に直接的又は間接的に保持されていることを特徴とする。
【０００６】
そして、本発明では、制御基板（２５Ａ）及び電源基板（２５Ｃ）のうち少なくとも一方の基板は、連結部材（２１Ａ）に直接的又は間接的に保持されているので、制御基板（２５Ａ）及び電源基板（２５Ｃ）がフレーム（２０）に保持された構成に比べて、鉛直方向寸法の小型化が可能となる。
【０００７】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【０００８】
【図１】本発明の第１実施形態に係る画像形成装置１の中央断面図である。
【図２】本発明の第１実施形態に係る一対のフレーム２０、画像形成部５、第１連結部材２１Ａ等を仮想水平面に投影した図である。
【図３】本発明の第２実施形態に係る画像形成装置１の中央断面図である。
【図４】本発明の第２実施形態に係る一対のフレーム２０、画像形成部５、第１連結部材２１Ａ等を仮想水平面に投影した図である。
【図５】本発明の第３実施形態に係る画像形成装置１の中央断面図である。
【図６】本発明の第３実施形態に係る一対のフレーム２０、画像形成部５、第１連結部材２１Ａ等を仮想水平面に投影した図である。
【図７】本発明の第４実施形態に係る画像形成装置１の中央断面図である。
【図８】本発明の第４実施形態に係る一対のフレーム２０、画像形成部５、第１連結部材２１Ａ等を仮想水平面に投影した図である。
【発明を実施するための形態】
【０００９】
以下に説明する「発明の実施形態」は実施形態の一例を示すものである。つまり、特許請求の範囲に記載された発明特定事項等は、下記の実施形態に示された具体的手段や構造等に限定されるものではない。
【００１０】
そして、本実施形態は、モノクロ方式の画像形成装置に本発明を適用したものである。以下、本発明の実施形態を図面と共に説明する。
なお、各図に付された方向を示す矢印等は、各図相互の関係を理解し易くするために記載したものであり、本発明は、各図に付された方向に限定されるものではない。少なくとも符号を付して説明した部材又は部位は、「複数」や「２つ以上」等の断りをした場合を除き、少なくとも１つ設けられている。
【００１１】
（第１実施形態）
１．画像形成装置の概要
本実施形態に係る画像形成装置１は、図１に示すように、プリンタ部１Ａとスキャナ部１Ｂとが一体となったものである。プリンタ部１Ａは用紙等のシートに画像を形成する印刷装置である。スキャナ部１Ｂは原稿に記載された画像（文字も含む。）を読み取る画像読取装置である。
【００１２】
スキャナ部１Ｂは、プリンタ部１Ａの鉛直方向上方側に配設されている。スキャナ部１Ｂの鉛直方向下方側には、画像形成が終了したシートが載置される排紙トレイ３Ｂが設けられている。
【００１３】
スキャナ部１Ｂは、プリンタ部１Ａに対してヒンジ部１Ｃを介して揺動可能に連結されている。ヒンジ部１Ｃは、プリンタ部１Ａの鉛直方向上方側であって、プリンタ部１Ａの後方側に設けられている。
【００１４】
プリンタ部１Ａの後方側とは、排紙トレイ３Ｂに向けて排出されるシートの排出方向前進側を前方側としたとき、当該前方側と反対側をいう。なお、図１の紙面右側がプリンタ部１Ａの前方側である。図１の紙面左側がプリンタ部１Ａの後方側である。
【００１５】
２．プリンタ部の概略構成
プリンタ部１Ａの筐体３内には、シートに画像を形成する画像形成部５が収納されている。筐体３の鉛直方向上部には排紙口３Ａ及び排紙トレイ３Ｂが設けられている。排紙口３Ａは画像が形成されたシートが排出される部位である。
【００１６】
排紙トレイ３Ｂには排紙口３Ａから排出されたシートが載置される。排紙口３Ａには、シートを排紙トレイ３Ｂに送り出す排紙ローラ３Ｃが設けられている。なお、排紙ローラ３Ｃは、排出されたシートを排紙トレイ３Ｂに向けて送り出す場合と当該シートの搬送方向を反転させて画像形成部５に再搬送する場合とを切り替えることができる。
【００１７】
筐体３は、トップカバー３Ｄ、一対のサイドカバー（図示せず。）、フロントカバー３Ｅ及びリアカバー３Ｆ等を有して構成されている。トップカバー３Ｄは、プリンタ部１Ａの鉛直方向上面を覆う。サイドカバーは、プリンタ部１Ａの右側面及び左側面を覆ってプ
リンタ部１Ａの外観意匠面を構成する。
【００１８】
フロントカバー３Ｅはプリンタ部１Ａの前側面を覆ってプリンタ部１Ａの外観意匠面を構成する。リアカバー３Ｆはプリンタ部１Ａの後側面を覆ってプリンタ部１Ａの外観意匠面を構成する。
【００１９】
フロントカバー３Ｅには手差供給口３Ｈが設けられている。手差供給口３Ｈは、後述するフィーダ機構１５によらず、直接的にシートを画像形成部５に供給するための開口部である。つまり、利用者が、手差供給口３Ｈにシートを挿入すると、画像形成部５は、当該挿入されたシートに対して画像形成を行う。
【００２０】
トップカバー３Ｄのうち排紙トレイ３Ｂに相当する部位には、鉛直方向上方側に向けて開口した開口部３Ｇが設けられている。開口部３Ｇは開閉カバー４により閉塞されている。開閉カバー４は、開口部３Ｇを閉塞する閉塞位置と開口部３Ｇを開放する開放位置との間で変位可能である。
【００２１】
開閉カバー４は、一端側が他端側を中心に揺動するようにヒンジ部４Ａを介してトップカバー３Ｄに揺動可能に連結されている。そして、開閉カバー４の上面は、シートが載置される排紙トレイ３Ｂの少なくとも一部を構成する。
【００２２】
画像形成部５は現像剤をシートに転写する電子写真方式である。当該画像形成部５は、プロセスユニット６、露光器９、転写部１１及び定着器１３等を有して構成されている。プロセスユニット６は、開口部３Ｇを通して装置本体に着脱自在に装着可能である。
【００２３】
装置本体とは、筐体３やフレーム２０（図２参照）等の利用時に利用者により分解等されない部分をいう。一対のフレーム２０は、画像形成部５を挟んで水平方向両側に設けられた部材であって、樹脂又は金属に構成された略板状の強度部材である。
【００２４】
プロセスユニット６は、現像カートリッジ７及びドラムカートリッジ１０等が支持体６Ａを介して一体化されたものである。現像カートリッジ７は支持体６Ａに着脱自在に装着されている。ドラムカートリッジ１０は支持体６Ａに対して着脱不可として支持体６Ａに一体化されている。
【００２５】
現像カートリッジ７は現像ローラ７Ａ、供給ローラ７Ｃ及び収容部７Ｂ等を有している。収容部７Ｂは感光ドラム８に供給される現像剤を収容する。現像ローラ７Ａ及び供給ローラ７Ｃは、収容部７Ｂ内の現像剤を感光ドラム８に供給する。
【００２６】
ドラムカートリッジ１０は感光ドラム８及び帯電器８Ａ等を有する。つまり、プロセスユニット６は、感光ドラム８、帯電器８Ａ、現像ローラ７Ａ、供給ローラ７Ｃ及び収容部７Ｂ等を有する。
【００２７】
感光ドラム８は現像剤像を担持する感光体である。帯電器８Ａは感光ドラム８を帯電させる。露光器９は帯電した感光ドラム８を露光する。これにより、感光ドラム８には静電潜像が形成される。
【００２８】
なお、本実施形態に係る露光器９は、ポリゴンミラー（図示せず。）を電動モータ（図示せず。）により回転させることにより、ビーム光を走査しながら感光ドラム８を露光する、いわゆる「スキャナ」タイプの露光器である。
【００２９】
静電潜像が形成された感光ドラム８に現像剤が供給されると、感光ドラム８に現像剤像
が形成される。感光ドラム８と対向する位置には転写部１１が配設されている。転写部１１は感光ドラム８に担持されている現像剤像をシートに転写させる。
【００３０】
定着器１３は、シートに転写された現像剤を直接的又は間接的に加熱し、現像剤像をシートに定着させる。画像形成部５よりシート搬送方向上流側には、フィーダ機構１５が設けられている。
【００３１】
フィーダ機構１５は、給紙トレイ１７に載置されているシートを１枚ずつ画像形成部５側に向けて送出する。給紙トレイ１７は、装置本体のうちプロセスユニット６より鉛直方向下方側において、装置本体に着脱自在に装着されている。
【００３２】
一対のフレーム２０は、図２に示すように、第１連結部材２１Ａ及び第２連結部材２１Ｂにより連結されている。第１連結部材２１Ａ及び第２連結部材２１Ｂは、一対のフレーム２０間を架け渡すように水平方向に延びて両端が各フレーム２０に連結された帯板状の部材である。
【００３３】
第１連結部材２１Ａは、第２連結部材２１Ｂより前方側に設けられているとともに、露光器９を保持する保持プレートを構成する。第２連結部材２１Ｂは、第１連結部材２１Ａより鉛直方向下方側に設けられて一対のフレーム２０の下端側を連結する。なお、第１連結部材２１Ａ及び第２連結部材２１Ｂは、ＳＰＣＣやＳＥＣＣ等の金属板製である。
【００３４】
そして、本実施形態では、図１に示すように、プロセスユニット６及び露光器９は、排紙トレイ３Ｂをなす開閉カバー４より鉛直方向下方側に設けられているとともに、前方側から順に、露光器９、プロセスユニット６の順に並んでいる。具体的には、前方側から順に、露光器９、収容部７Ｂ、供給ローラ７Ｃ、現像ローラ７Ａ、感光ドラム８、定着器１３の順である。
【００３５】
給紙トレイ１７から排紙トレイ３Ｂに至るシートの搬送経路Ｌｏは、シートの排出方向と平行な仮想鉛直面に投影されたとき、当該投影された搬送経路Ｌｏは、露光器９の鉛直方向下方側の部位、及び感光ドラム８よりシート搬送方向下流側の部位にて屈曲してＳ字状の曲線を描く。
【００３６】
そして、一方の面への画像形成が終了したシートを画像形成部５に再搬送する再搬送経路Ｌ１は、露光器９の鉛直方向下方側の部位を通過する。すなわち、排紙ローラ３Ｃにより搬送方向が反転させられたシートは、再搬送経路Ｌ１にて画像形成部５に再搬送される。再搬送経路Ｌ１は、第１部位Ｌ１１、第２部位Ｌ１２及び第３部位Ｌ１３を有して構成されている。
【００３７】
第１部位Ｌ１１は、定着器１３の後方側を鉛直方向に延びてプロセスユニット６の鉛直方向下方側に至る経路である。第２部位Ｌ１２は、プロセスユニット６の鉛直方向下方側において、前方側に延びて露光器９の鉛直方向下方側まで延びる経路である。第３部位Ｌ１３は、第２部位Ｌ１２から鉛直方向上方側に転向しながら後方側に延びて画像形成部５に至る経路である。
【００３８】
３．電気機器の配置構成
プリンタ部１Ａは、図２に示すように、少なくとも電動モータ２３、制御基板２５Ａ、高圧電源基板２５Ｂ及び低圧電源基板２５Ｃ等を有する。電動モータ２３は、画像形成部５やフィーダ機構１５等に回転力を供給する。
【００３９】
制御基板２５Ａは、画像形成部５や電動モータ２３等の作動を制御する。高圧電源基板
２５Ｂは帯電器８Ａ等の駆動電圧が高い機器に電力を供給する。低圧電源基板２５Ｃは電動モータ２３等の帯電器８Ａに比べて駆動電圧が低い機器に電力を供給する。なお、高圧電源基板２５Ｂ及び低圧電源基板２５Ｃには、電解コンデンサ２５Ｄ等のトランジスタ等に比べて大きな電気部品が実装されている。
【００４０】
電動モータ２３及び高圧電源基板２５Ｂは、一対のフレーム２０のうち一方側（本実施形態では左側）のフレーム２０Ａに組み付けられている。低圧電源基板２５Ｃは、一対のフレーム２０のうち他方側（本実施形態では右側）のフレーム２０Ｂに組み付けられている。
【００４１】
高圧電源基板２５Ｂ及び低圧電源基板２５Ｃは、その板面がフレーム２０の板面に対して平行な状態でネジ等の機械的締結具（図示せず。）により各フレーム２０に組み付けられている。
【００４２】
電動モータ２３は、その出力軸（図示せず。）がフレーム２０Ａの板面に対して直交するようにフレーム２０Ａに組み付けられている。なお、フレーム２０Ａには、電動モータ２３で発生した駆動力を感光ドラム８やフィーダ機構１５等に伝達する動力伝達機構（図示せず。）が設けられている。
【００４３】
そして、電動モータ２３及び露光器９は、図１に示すように、電動モータ２３の出力軸と直交する仮想平面に投影されたとき、当該仮想平面に投影された電動モータ２３の少なくとも一部は、当該仮想平面に投影された露光器９と重なるように配置されている。
【００４４】
制御基板２５Ａは第１連結部材２１Ａに直接的又は間接的に保持されている。なお、「制御基板２５Ａが第１連結部材２１Ａに直接的に保持されている」とは、例えば、樹脂等の電気絶縁体製のスペーサを介して第１連結部材２１Ａに組み付けられていること等をいう。
【００４５】
「制御基板２５Ａが第１連結部材２１Ａに間接的に保持されている」とは、例えば、第１連結部材２１Ａに組み付けられた他の機器（例えば、露光器９）に制御基板２５Ａが直接的又は間接的に組み付けられていること等をいう。なお、本実施形態に係る制御基板２５Ａは、第１連結部材２１Ａに直接的に保持されている。
【００４６】
図２に示すように、仮想水平面に投影された制御基板２５Ａは、当該仮想水平面に投影された露光器９に対して少なくとも一部がずれている。つまり、仮想水平面に投影された制御基板２５Ａ、第１連結部材２１Ａ、収容部７Ｂ（プロセスユニット６）及び定着器１３は、互いに重なることなく配置されている。
【００４７】
図１に示すように、第１連結部材２１Ａの延び方向と直交する仮想鉛直面に投影された収容部７Ｂは、仮想鉛直面に投影された露光器９の鉛直方向上端９Ａ、及び仮想鉛直面に投影された定着器１３の鉛直方向上端１３Ａより鉛直方向下方側に位置している。
【００４８】
なお、仮想鉛直面に投影された収容部７Ｂの下端７Ｄは、仮想鉛直面に投影された露光器９、定着器１３、第１連結部材２１Ａ及び第１連結部材２１Ａに保持されている基板（本実施形態では、制御基板２５Ａ）より鉛直方向下方側に位置している。
【００４９】
そして、本実施形態に係る制御基板２５Ａは、基板全体が露光器９を挟んで電動モータ２３と反対にずれている。つまり、制御基板２５Ａは、第１連結部材２１Ａの延び方向一端側に配設され、かつ、電動モータ２３は、当該延び方向他端側に配設されている。
【００５０】
４．本実施形態に係る画像形成装置の特徴
本実施形態では、制御基板２５Ａが第１連結部材２１Ａに保持されているので、制御基板２５Ａがフレーム２０に保持された構成に比べて、画像形成装置１の鉛直方向寸法の小型化が可能となる。
【００５１】
すなわち、仮に、制御基板２５Ａと高圧電源基板２５Ｂ又は低圧電源基板２５Ｃとが、同一のフレーム２０に組み付けられた構成であると、当該フレーム２０の鉛直方向寸法は、制御基板２５Ａと高圧電源基板２５Ｂ又は低圧電源基板２５Ｃとを合わせた寸法とならざるを得ない。
【００５２】
これに対して、本実施形態では、制御基板２５Ａが第１連結部材２１Ａに保持されているので、フレーム２０の鉛直方向寸法は、高圧電源基板２５Ｂ及び低圧電源基板２５Ｃのうち、大きい方の基板が収まる寸法で足りる。したがって、画像形成装置１の鉛直方向寸法の小型化が可能となる。
【００５３】
本実施形態に係る制御基板２５Ａは、露光器９が組み付けられた第１連結部材２１Ａに捧持されているので、制御基板２５Ａと露光器９とを繋ぐ配線（図示せず。）を、制御基板２５Ａがフレーム２０に保持された構成に比べて短くすることが可能となる。
【００５４】
したがって、当該配線が電気ノイズの影響を強く受けることを抑制できるので、露光器９等の作動速度の高速化を図った場合に、制御信号の波形が乱れることを抑制できる。
ところで、定着器１３及び露光器９の電動モータ等、並びに制御基板２５Ａの発熱量は、他の機器に比べて発熱量が大きい。このため、定着器１３や露光器９等で加熱された空気により、収容部７Ｂ内に現像剤が加熱されると現像剤が早期に劣化してしまう可能性がある。
【００５５】
なお、第１連結部材２１Ａそれ自体は発熱しないが、第１連結部材２１Ａは金属製であるので、露光器９や制御基板２５Ａで発生した熱を雰囲気中に放熱する放熱部として機能する。このため、収容部７Ｂから観察すると、恰も第１連結部材２１Ａからも発熱していることになる。
【００５６】
これに対して、本実施形態では、仮想水平面に投影された制御基板２５Ａ、第１連結部材２１Ａ、収容部７Ｂ（プロセスユニット６）及び定着器１３は、互いに重なることなく配置されていることを特徴としている。
【００５７】
これにより、定着器１３や露光器９等で加熱された空気（以下、熱気ともいう。）の多くは、鉛直方向上方に向けて移動するので、収容部７Ｂが上記熱気に直接的に晒されることを抑制できる。したがって、収容部７Ｂ内の現像剤が上記熱気により過度に加熱されてしまうことを抑制できるので、現像剤が早期に劣化してしまうことを抑制できる。
【００５８】
さらに、本実施形態では、第１連結部材２１Ａの延び方向と直交する仮想鉛直面に投影された収容部７Ｂは、仮想鉛直面に投影された露光器９の鉛直方向上端９Ａ、及び仮想鉛直面に投影された定着器１３の鉛直方向上端１３Ａより鉛直方向下方側に位置していることを特徴としている。
【００５９】
これにより、鉛直方向上方側に上昇した熱気が、露光器９の鉛直方向上端９Ａ及び定着器１３の鉛直方向上端１３Ａより下方側に位置する収容部７Ｂに向けて流通すること抑制できる。
【００６０】
したがって、収容部７Ｂが上記熱気に直接的に晒されることを抑制できるので、収容部
７Ｂ内の現像剤が過度に加熱されてしまうことを抑制でき、現像剤が早期に劣化してしまうことを抑制できる。
【００６１】
（第２実施形態）
本実施形態は、図３に示すように、制御基板２５Ａが露光器９を挟んで感光ドラム８（プロセスユニット６）と反対側、つまり第１連結部材２１Ａのうち露光器９より前方側の位置に配設されたものである。
【００６２】
そして、本実施形態では、図４に示すように、排紙トレイ３Ｂに向けて排出されるシートの排出方向と直交する仮想鉛直面、つまり前後方向に直交する仮想鉛直面に投影された制御基板２５Ａの少なくとも一部が、当該仮想鉛直面に投影された露光器９に重なるように配置されている。
【００６３】
これにより、本実施形態では、帯電器８Ａや転写部１１等の高い電圧にて駆動される機器から制御基板２５Ａを離隔させることができるので、電気ノイズ等から制御基板２５Ａを保護することができる。
【００６４】
なお、本実施形態では、図３に示すように、制御基板２５Ａの板面が水平方向に対して大きく傾いて略鉛直方向に平行な状態となっている。そして、仮想鉛直面に投影された収容部７Ｂは、仮想鉛直面に投影された制御基板２５Ａの上端２５Ｅより鉛直方向下方側に位置している。
【００６５】
因みに、本実施形態は、露光器９より前方側に制御基板２５Ａを配置するものであるので、制御基板２５Ａの位置は図４に示す位置に限定されるものではなく、例えば、第１連結部材２１Ａの長手方向端部側に制御基板２５Ａが配設された構成であってもよい。
【００６６】
（第３実施形態）
本実施形態は、図５に示すように、鉛直方向において、制御基板２５Ａが第１連結部材２１Ａを挟んで露光器９と反対側に配設されたものである。そして、図６に示すように、仮想水平面に投影された制御基板２５Ａと当該仮想水平面に投影された露光器９とは、互いに少なくとも一部が重なっている。
【００６７】
これにより、本実施形態では、露光器９と制御基板２５Ａとの間に第１連結部材２１Ａが存在するので、露光器９と制御基板２５Ａとの電気絶縁距離を大きくすることができる。したがって、電気ノイズ等から制御基板２５Ａを保護することができる。
【００６８】
さらに、露光器９と制御基板２５Ａとの間に配設された第１連結部材２１Ａが金属製であるので、当該第１連結部材２１Ａを磁気シールドとして機能させることが可能となり、電気ノイズ等から制御基板２５Ａを確実に保護することができる。
【００６９】
なお、本実施形態では、露光器９が第１連結部材２１Ａに対して鉛直方向上側に配置されているので、制御基板２５Ａは第１連結部材２１Ａに対して鉛直方向下側に配置されている。しかし、本実施形態はこれに限定されるものではなく、第１連結部材２１Ａに対して鉛直方向上側に制御基板２５Ａを配置し、鉛直方向下側に露光器９を配置してもよい。
【００７０】
（第４実施形態）
本実施形態は、低圧電源基板２５Ｃが第１連結部材２１Ａに直接的又は間接的に保持されたものである。「低圧電源基板２５Ｃが第１連結部材２１Ａに直接的又は間接的に保持された」とは、第１実施形態にて説明した内容と同じである。
【００７１】
そして、本実施形態に係る低圧電源基板２５Ｃは、図７に示すように、露光器９に固定されて当該露光器９を介して第１連結部材２１Ａに保持されている。このため、低圧電源基板２５Ｃは、露光器９を挟んで第１連結部材２１Ａと反対側に位置して露光器９に対して対向配置されている。
【００７２】
つまり、露光器９が第１連結部材２１Ａに対して鉛直方向上側に配置され、かつ、露光器９の鉛直方向上側に低圧電源基板２５Ｃが配置されている。そして、電解コンデンサ２５Ｄは、低圧電源基板２５Ｃの第１連結部材２１Ａ側に位置している。このため、電解コンデンサ２５Ｄは、第１連結部材２１Ａの鉛直方向上方側に位置する。
【００７３】
図７に示すように、第１連結部材２１Ａの延び方向と直交する仮想鉛直面に投影された電解コンデンサ２５Ｄの少なくとも一部は、当該仮想鉛直面に投影された露光器９に重なっている。さらに、図８に示すように、仮想水平面に投影された電解コンデンサ２５Ｄは、当該仮想水平面に投影された露光器９に対してずれて配置されている。
【００７４】
なお、仮想水平面に投影された低圧電源基板２５Ｃの少なくとも一部は、仮想水平面に投影された露光器９に重なっている。制御基板２５Ａは、一対のフレーム２０のうち他方側のフレーム２０Ｂに組み付けられている。
【００７５】
（その他の実施形態）
上述の実施形態では、シートの搬送経路ＬｏがＳ字状であったが、本発明はこれに限定されるものではない。
【００７６】
上述の実施形態では、開閉カバー４は排紙トレイ３Ｂの一部を構成していたが、本発明はこれに限定されるものではない。
上述の実施形態では、プリンタ部１Ａの鉛直方向上方側にスキャナ部１Ｂが設けられていたが、本発明はこれに限定されるものではなく、スキャナ部１Ｂを廃止してもよい。
【００７７】
また、本発明は、特許請求の範囲に記載された発明の趣旨に合致するものであればよく、上述の実施形態に限定されるものではない。したがって、第１〜第４実施形態のうち少なくとも２つの実施形態を組み合わせてもよい。
【符号の説明】
【００７８】
１… 画像形成装置  １Ａ… プリンタ部  １Ｂ… スキャナ部
１Ｃ… ヒンジ部  ３Ｂ… 排紙トレイ  ３… 筐体  ３Ａ… 排紙口
３Ｃ… 排紙ローラ  ３Ｄ… トップカバー  ３Ｅ… フロントカバー
３Ｆ… リアカバー  ３Ｈ… 手差供給口  ３Ｇ… 開口部  ４… 開閉カバー
４Ａ… ヒンジ部  ５… 画像形成部  ６… プロセスユニット  ６Ａ… 支持体
７… 現像カートリッジ  ７Ａ… 現像ローラ  ７Ｂ… 収容部  ７Ｃ… 供給ローラ
８… 感光ドラム  ８Ａ… 帯電器  ９… 露光器  １０… ドラムカートリッジ
１１… 転写部  １３… 定着器  １５… フィーダ機構  １７… 給紙トレイ
２０… フレーム  ２１Ａ… 第１連結部材  ２１Ｂ… 第２連結部材
２３… 電動モータ  ２５Ａ… 制御基板  ２５Ｂ… 高圧電源基板
２５Ｃ… 低圧電源基板
【図１】
2015191172.tif 000003
【図２】
2015191172.tif 000004
【図３】
2015191172.tif 000005
【図４】
2015191172.tif 000006
【図５】
2015191172.tif 000007
【図６】
2015191172.tif 000008
【図７】
2015191172.tif 000009
【図８】
2015191172.tif 000010